(57)【要約】【課題】  使いやすく、ディボット跡に効率よく、かつ狙い通りに目土を入れることができるようにした。【解決手段】  ゴルフ場のディボット跡Ｂを修復するための目土Ａを収容するためのゴルフ用目土容器１であって、目土Ａを収容するための容器本体２を有底筒状のものとし、容器本体Ａにおける開口２３の全体または開口２３の一部を、容器本体２における胴部２２の上部を斜めにカットしたような形状とし、胴部２２の内周面に、開口２３の先端部（開口縁）２４ａから容器本体２の底部２１に向けて左右方向に所定の幅を有する平坦案内面２２ａを延設する。【選択図】図２
2019141206.tif 000002
【特許請求の範囲】
【請求項１】
ゴルフ場におけるディボット跡を修復するための目土を収容するためのゴルフ用目土容器であって、
目土を収容するための容器本体を有底筒状のものとし、
前記容器本体における開口の全体または当該開口の一部を、前記容器本体における胴部の上部を斜めにカットしたような形状とし、
前記胴部の内周面に、前記開口の先端部から前記容器本体の底部に向けて左右方向に所定の幅を有する平坦案内面を延設したことを特徴とするゴルフ用目土容器。
【請求項２】
前記容器本体における前記胴部の内周面に、
前記所定の幅と異なる幅を有する他の平坦案内面を、前記開口の前記先端部と異なる位置の開口縁から前記底部に向けて延設したことを特徴とする請求項１記載のゴルフ用目土容器。
【請求項３】
前記容器本体における前記胴部の内周面に、前記開口の開口縁から前記底部に向けて入隅部を延設したことを特徴とする請求項１または２記載のゴルフ用目土容器。
【発明の詳細な説明】
【技術分野】
【０００１】
本発明は、ゴルフ場におけるディボット跡を充填補修するのに好適に使用しうるゴルフ用目土容器に関する。
【背景技術】
【０００２】
例えば、特許文献１には、ゴルフのショットの際に作られたディボット跡を修復するための目土を収容して運搬するための目土容器が記載されている。
【先行技術文献】
【特許文献】
【０００３】
【特許文献１】特開２０１１−２９３号公報
【発明の概要】
【発明が解決しようとする課題】
【０００４】
特許文献１に記載されているゴルフ用目土容器は、スコップを利用することなく、目土を掬い取ることが可能であるものの、単にディボット跡に目土を入れることを想定したものであり、ディボット跡に効率よく、かつ狙い通りに目土を入れることは、構造上難しい。
【０００５】
本発明は、かかる課題に鑑みてなされたものであり、使いやすく、ディボット跡に効率よく、かつ狙い通りに目土を入れることができるようにしたゴルフ用目土容器を提供することを目的としている。
【課題を解決するための手段】
【０００６】
上記課題を解決するため、第１の発明は、ゴルフ場におけるディボット跡を修復するための目土を収容するためのゴルフ用目土容器であって、目土を収容するための容器本体を有底筒状のものとし、前記容器本体における開口の全体または当該開口の一部を、前記容器本体における胴部の上部を斜めにカットしたような形状とし、前記胴部の内周面に、前記開口の先端部から前記容器本体の底部に向けて左右方向に所定の幅を有する平坦案内面を延設する。
【０００７】
第２の発明は、第１の発明において、前記容器本体における前記胴部の内周面に、前記所定の幅と異なる幅を有する他の平坦案内面を、前記開口の前記先端部と異なる位置の開口縁から前記底部に向けて延設する。
【０００８】
第３の発明は、第１の発明または第２の発明において、前記容器本体における前記胴部の内周面に、前記開口の開口縁から前記底部に向けて入隅部を延設する。
【発明の効果】
【０００９】
本発明によれば、ゴルフプレイヤーは、ディボット跡に、適切な量の目土を、容易に、かつ狙い通りに、投入することができる。
【図面の簡単な説明】
【００１０】
【図１】本発明のゴルフ用目土容器の一実施形態を示す正面図である。
【図２】同じく目土容器の斜視図である。
【図３】図１における左側面図である。
【図４】図３のＩＶ−ＩＶ線横断面図である。
【図５】同じく目土容器の第１の使用形態を示す説明図である。
【図６】同じく目土容器の第２の実施形態を示す説明図である。
【図７】他の実施形態に係る目土容器の斜視図である。
【図８】他の実施形態に係る目土容器の左側面図である。
【図９】他の実施形態に係る目土容器の左側面図である。
【図１０】図９におけるＸ−Ｘ線横断面図である。
【発明を実施するための形態】
【００１１】
以下、本発明の一実施形態を、図１〜図６を参照しながら詳述する。なお、以下の実施形態は、本出願の特許請求の範囲に係る発明を限定するものではなく、実施形態の中で説明される特徴の組み合わせの全てが、本発明の解決手段に必須であるとは限らない。
【００１２】
なお、以下の説明において、ゴルフ用の目土容器１の左右、並びに上下方向は、図１を基準とする。
【００１３】
図１に示すように、本実施形態の目土容器１は、例えば、金属板もしくは合成樹脂材料により形成され、適量の目土を入れることができる有底円筒状の容器本体２と、容器本体２の正面に設けられている側面視縦長Ｓ字状（図３参照）の取手３と、容器本体２の左右両側面より突設されているフック４とを備えている。
【００１４】
容器本体２は、下部を閉塞する底部２１と、底部２１から上方へ延びる円筒状の胴部２２と、胴部２２の上部を斜めにカットして、先細り状の吐出部２４を形成する開口２３とを有している。
【００１５】
胴部２２には、図４に示す横断面形状において内周面及び外周面の一部が平坦となる平坦案内面２２ａが形成される。
【００１６】
本実施例においては、平坦案内面２２ａは、左右方向に所定の幅を有し、吐出部２４の先端部（開口縁）２４ａから底部２１まで連続して形成されている。
【００１７】
円筒状の胴部２２の内周面に形成されている平坦案内面２２ａにより、ディボット跡Ｂを補修する際、平坦案内面２２ａを利用して、図５に示すように、容器本体２内の目土Ａを幅広のディボット跡Ｂに幅広く、かつ均一に充填することができる。
【００１８】
また、胴部２２における平坦案内面２２ａの平坦な外面を利用して、ディボット跡Ｂに充填した目土Ａを押圧し、凹凸がないように均すことができる。
【００１９】
特に図４から理解できるように、容器本体２の内面における円弧状の内周面２２ｃと平坦案内面２２ａとが交わる部分には、開口２３における先端部２４ａから底部２１に亘って、入隅部２２ｂが連続して形成されている。
【００２０】
入隅部２２ｂは、図４から理解できるように横断面視において１８０度よりも小さい角度であり、目土Ａをディボット跡Ｂに降り出す際、入隅部２２ｂを利用することにより、平坦案内面２２ａに比して、目土Ａを細く振り出すことができる。
【００２１】
さらに、平坦案内面２２ａの先端部でもある吐出部２４の開口縁２４ａは、円弧状を呈している。これにより、吐出部２４の先端部２４ａが匙状となって、容器本体２は、スコップ機能も有することにより、目土Ａを掬い上げる際、目土Ａに刺さりやすく、かつ一度に多くの目土Ａを掬い上げることができる。
【００２２】
図３に示すように、取手３は、容器本体２の前面（図３における右側）にあって、左側面視縦長Ｓ字状に形成されている。これにより、プレーヤーは、取手３を握って容器本体２を持ち運んだり、目土袋や目土箱内の目土Ａを掬い上げたり、容器本体２内の目土Ａを振るい出したりすることができる。
【００２３】
図１に示すように、フック４は、倒立Ｊ字型であって、容器本体２の左右側面に、取手３と略同じ高さか、又は少し高い位置に設けられている。
なお、フック４は、必ずしも左右両側に設ける必要はなく、左右のいずれか一方のみに設けることもある。
【００２４】
容器本体２にフック４を設けたことにより、目土容器１を、ゴルフカートやゴルフバッグ等に引っ掛けることができる。また、プレーヤの腰ベルト等に目土容器１を引っ掛けて、目土Ａをディボット跡Ｂまで容易に持ち運ぶことができる。
【００２５】
例えば、図３に２点鎖線で示すように、必要に応じて、容器本体２には、開口２３を開閉可能とする蓋５が設けられる。蓋５は、胴部２２に対して、回転軸６を中心に回動し得るようにするのが好ましい。このようにすると、容器本体２の開口２３を蓋５により閉塞して、目土容器１を持ち運ぶ場合等、容器本体２内の目土Ａが零れ落ちたり、容器に水等が入ったりすることが無くなる。
【００２６】
（使い方）
プレーヤーは、フック４によってゴルフカート等に引っ掛けていた目土容器１を取り出し、取手３を持ち、目土袋に入った目土Ａに先端部２４ａを差し込み、目土Ａを適量掬い上げて、ディボット跡Ｂまで持ち運ぶ。そして、ディボット跡Ｂが幅広の場合には、図５に示すように、取手３を持つことで平坦案内面２２ａとなっている胴部２２の一側面が地面側に対向し、目土容器１を平坦案内面２２ａが最下位になるような角度をもって、容器本体２を傾けて目土Ａをディボット跡Ｂに振り出すことにより、目土Ａを、先端部２４ａを含む平坦案内面２２ａからディボット跡Ｂに、幅広く、かつ均一に振り出すことができる。
【００２７】
また、ディボット跡Ｂが小さかったり、幅狭である場合には、図６に示すように、入隅部２２ｂが最下位になるような角度をもって、目土容器１を傾けて目土Ａをディボット跡Ｂに振り出すことで、目土Ａを入隅部２２ｂからディボット跡Ｂに幅狭く、かつ細かく狙い通りに振り出すことができる。
【００２８】
上述のように、目土容器１は、平坦案内面２２ａと入隅部２２ｂとを使い分けることにより、ディボット跡Ｂの大きさや形状に合わせて振り出す目土Ａの量を調整することができる。
【００２９】
目土容器１から目土Ａを振り出した後、平坦案内面２２ａの外面を利用して、ディボット跡Ｂに振り出された目土Ａを押圧して均すことができる。
【００３０】
以上、本発明の一実施形態について説明したが、本発明の趣旨を逸脱しない範囲内で、これらの実施形態に対して、次のような変形や変更を施すことが可能である。
また、上記の本発明の実施形態、及び下記の変形例における構成部材等を適宜組み合わせることも可能である。
【００３１】
（変形例１）
図７に示すように、平坦案内面２２１ａを、吐出部２４の先端部２４ａから底部２１へ向かって、漸次幅狭となるようにする。
【００３２】
（変形例２）
図８に示すように、目土容器１における平坦案内面２２ａの先端部２４ａ側を、前方（図８の右側）へ角度θ（例えば、角度３°）傾斜させる。このようにすると、目土Ａを掬い上げやすくなり、かつ目土Ａが零れ落ち難くすることができる。
【００３３】
（変形例３）
図９、図１０に示すように、容器本体２における胴部２２に、胴部２２の図９、図１０における左半分の上部を右下がり斜め方向にカットしたような形状の第１の吐出部２５と、同じく図９、図１０における右半分の上部を第１の吐出部２５と相対する側にあって、左下がり斜め方向にカットしたような形状の第２の吐出部２６とを形成する。
【００３４】
胴部２２の内周面には、第１の吐出部２５の先端部２５ａから容器本体２の底部２１に向けて延設され、左右方向に第１の幅を有する第１の平坦案内面２５１ａと、第２の吐出部２６の先端部２６ａから容器本体２の底部２１に向けて延設され、左右方向に第１の幅より幅狭の第２の幅を有する第２の平坦案内面２６１ａとが形成されている。
【００３５】
第１の平坦案内面２５１ａ及び第２の平坦案内面２６１ａは、容器本体２の底部２１まで連続形成しても良いし、胴部２２の上部のみ、例えば上記変形例１の様に形成しても良い。
【００３６】
これにより、第１の平坦案内面２５１ａからは、目土Ａをディボット跡Ｂに幅広く振り出すことができ、第２の平坦案内面２６１ａからは、第１の平坦案内面２５１ａよりも幅狭に目土Ａをディボット跡Ｂに振り出すことができる。目土容器１の第１の平坦案内面２５１ａと第２の平坦案内面２６１ａとを、ディボット跡Ｂの大きさや形状に合わせて使い分けることができる。
【００３７】
なお、変形例３の目土容器１には、取手３を設けておらず、容器本体２を直接持つように想定した形状としてある。
【００３８】
（変形例４）
目土容器１は、容器本体２を円筒状ではなく、方形もしくは多角形断面のものとしてもよい。
【符号の説明】
【００３９】
１  目土容器
２  容器本体
２１  底部
２２  胴部
２２ａ、２２１ａ  平坦案内面
２２ｂ  入隅部
２２ｃ  内周面
２３  開口
２４  吐出部
２４ａ  先端部（開口縁）
２５  第１の吐出部
２５１ａ  第１の平坦案内面
２６  第２の吐出口
２６１ａ  第２の平坦案内面
３  取手
４  フック
５  蓋
６  回転軸
Ａ  目土
Ｂ  ディボット跡
θ  角度
【図１】
2019141206.tif 000003
【図２】
2019141206.tif 000004
【図３】
2019141206.tif 000005
【図４】
2019141206.tif 000006
【図５】
2019141206.tif 000007
【図６】
2019141206.tif 000008
【図７】
2019141206.tif 000009
【図８】
2019141206.tif 000010
【図９】
2019141206.tif 000011
【図１０】
2019141206.tif 000012